(57)【要約】【課題】ジャックに差し込んだ後にジャックから容易に引き抜きが可能なプラグ、プラグ用アダプタ及びプラグジャック構造を提供する。【解決手段】このプラグ１１は、接続対象のジャック２１に差し込み可能でありかつジャック２１から引き抜き可能であり、ジャックに差し込んだときにジャックの外筒部２３と嵌合する円筒部１３と、外面に設けられ外面側から押し込まれることで円筒部１３を外筒部２３から引き離す分離部材１４，１４とを備え、分離部材を外面側から押し込むことで円筒部１３と外筒部２３との嵌合状態を容易に解き放つことができ、プラグをジャックから容易に引き抜くことができる。【選択図】  図２
2004281337.tif 000002
【特許請求の範囲】
【請求項１】
接続対象のジャックに差し込み可能でありかつ前記ジャックから引き抜き可能なプラグであって、
前記ジャックに差し込んだときに前記ジャックの被嵌合部と嵌合する嵌合部と、
外面に設けられ前記外面側から押し込まれることで前記嵌合部を前記被嵌合部から引き離す分離部材と、を備えることを特徴とするプラグ。
【請求項２】
一対の前記分離部材を前記外面に略対向するように設けたことを特徴とする請求項１に記載のプラグ。
【請求項３】
接続対象のジャックに差し込み可能でありかつ前記ジャックから引き抜き可能なプラグであって、
前記ジャックの孔部に差し込まれるプラグ部と、
前記ジャックの外周部に差し込まれて嵌合する筒部と、
外面に設けられ前記外面側から押し込まれることで前記ジャックの外周部を押し付けて前記筒部を前記外周部から引き離す分離部材と、を備えることを特徴とするプラグ。
【請求項４】
前記分離部材は、先端が回動自在となるように他端で支持され、押し込まれると回動して前記筒部内に入り込んで前記ジャックの外周部の端部を前記プラグの引き抜き方向に押し付けることを特徴とする請求項３に記載のプラグ。
【請求項５】
一対の前記分離部材を前記外面に略対向するように設け、前記各先端を挟み付けるようにして押し込み可能に構成されたことを特徴とする請求項４に記載のプラグ。
【請求項６】
接続用のプラグと接続対象のジャックとの間で使用されるプラグ用アダプタであって、
前記接続対象のジャックに差し込み可能でありかつ前記ジャックから引き抜き可能なプラグ部と、
前記接続用のプラグが差し込まれるジャック部と、
前記接続対象のジャックに前記プラグ部を差し込んだときに前記ジャックの被嵌合部と嵌合する嵌合部と、
外面に設けられ前記外面側から押し込まれることで前記嵌合部を前記被嵌合部から引き離す分離部材と、を備えることを特徴とするプラグ用アダプタ。
【請求項７】
請求項１乃至５のいずれか１項に記載のプラグが接続対象のジャックに差し込まれた状態で、前記分離部材を押し込むことで前記プラグを前記ジャックから引き抜き易く構成したことを特徴とするプラグジャック構造。
【請求項８】
請求項６に記載のプラグ用アダプタが前記プラグ部から接続対象のジャックに差し込まれた状態で、前記分離部材を押し込むことで前記プラグ用アダプタを前記ジャックから引き抜き易く構成したことを特徴とするプラグジャック構造。
【発明の詳細な説明】
【０００１】
【発明の属する技術分野】
本発明は、電子機器同士を接続するためのプラグ、プラグ用アダプタ及びプラグジャック構造に関する。
【０００２】
【従来の技術】
従来、テレビ等の電子機器にゲーム装置や記録再生装置等の他の電子機器を接続する際には、ピンプラグの付いた電気ケーブルを用いてピンプラグをテレビ等のジャックに差し込むことで相互接続している（例えば、下記特許文献１参照）。ジャックが複数ある場合には、それに応じて複数本の電気ケーブルの各ピンプラグを各ジャックに差し込んでいる。従来のピンプラグとジャックとの接続構造を図５に示す。
【０００３】
図５のように、電子機器側の側板１００に固定されたジャック１１１に対し、電気ケーブル１１０の先端に付いたピンジャック１０１を差し込むが、このとき、ピンジャック１０１の先端１０２がジャック１１１の孔１１２に差し込まれ、ピンジャック１０１の円筒部１０３がジャック１１１の外筒部１１３に図の破線のように嵌り込む。ピンジャック１０１をジャック１１１から取り外すときは、ピンジャック１０１の胴体１０１ａを指で挟んで引き抜く。
【０００４】
ところが、円筒部１０３と外筒部１１３との嵌合がピンプラグの機種の違いや寸法誤差等のためきつくなることがあり、ピンジャック１０１の引き抜きに困難を伴うことがある。特に、複数のジャック１１１が比較的狭い部分に並んで配置されている場合には、指の力が入り難く、ピンジャック１０１を引き抜くことが更に難しくなってしまう。ピンジャック１０１を引き抜けないと、電気ケーブル１１０を引っ張り等してしまい、電気ケーブルに断線等の損傷が発生し易くなる。
【０００５】
【特許文献１】
実開平６−３８１７４号公報
【０００６】
【発明が解決しようとする課題】
本発明は、上述のような従来技術の問題に鑑み、ジャックに差し込んだ後にジャックから容易に引き抜きが可能なプラグ、プラグ用アダプタ及びプラグジャック構造を提供することを目的とする。
【０００７】
【課題を解決するための手段】
上記目的を達成するために、本発明によるプラグは、接続対象のジャックに差し込み可能でありかつ前記ジャックから引き抜き可能なプラグであって、前記ジャックに差し込んだときに前記ジャックの被嵌合部と嵌合する嵌合部と、外面に設けられ前記外面側から押し込まれることで前記嵌合部を前記被嵌合部から引き離す分離部材と、を備えることを特徴とする。
【０００８】
このプラグによれば、接続対象のジャックに差し込まれ嵌合部がジャック側の被嵌合部に嵌合した状態で、分離部材を外面側から押し込むことで嵌合部を被嵌合部から引き離すので、嵌合状態を容易に解き放つことができ、プラグをジャックから容易に引き抜くことができる。
【０００９】
上記プラグにおいて一対の前記分離部材を前記外面に略対向するように設けることが好ましい。これにより、一対の分離部材を指で挟んで押し込むことが簡単にできるので、更にプラグを容易に引き抜くことができる。
【００１０】
本発明による別のプラグは、接続対象のジャックに差し込み可能でありかつ前記ジャックから引き抜き可能なプラグであって、前記ジャックの孔部に差し込まれるプラグ部と、前記ジャックの外周部に差し込まれて嵌合する筒部と、外面に設けられ前記外面側から押し込まれることで前記ジャックの外周部を押し付けて前記筒部を前記外周部から引き離す分離部材と、を備えることを特徴とする。
【００１１】
このプラグによれば、接続対象のジャックに差し込まれ筒部がジャック側の外周部に嵌合した状態で、分離部材を外面側から押し込むことでジャック側の外周部を押し付けて筒部を外周部から引き離すので、嵌合状態を容易に解き放つことができ、プラグをジャックから容易に引き抜くことができる。
【００１２】
上記プラグにおいて前記分離部材は、先端が回動自在となるように他端で支持され、押し込まれると回動して前記筒部内に入り込んで前記ジャックの外周部の端部を前記プラグの引き抜き方向に押し付けるように構成できる。
【００１３】
この場合、一対の前記分離部材を前記外面に略対向するように設け、前記各先端を挟み付けるようにして押し込み可能に構成されることが好ましい。これにより、一対の分離部材を指で挟んで押し込むことが簡単にできるので、更にプラグを容易に引き抜くことができる。
【００１４】
なお、上述のプラグは、前記ジャックに差し込まれると、前記プラグ部が前記ジャックの孔部に電気的に接続し、前記筒部が前記ジャックの外周部に電気的に接続するように構成されている。
【００１５】
本発明によるプラグ用アダプタは、接続用のプラグと接続対象のジャックとの間で使用されるプラグ用アダプタであって、前記接続対象のジャックに差し込み可能でありかつ前記ジャックから引き抜き可能なプラグ部と、前記接続用のプラグが差し込まれるジャック部と、前記接続対象のジャックに前記プラグ部を差し込んだときに前記ジャックの被嵌合部と嵌合する嵌合部と、外面に設けられ前記外面側から押し込まれることで前記嵌合部を前記被嵌合部から引き離す分離部材と、を備えることを特徴とする。
【００１６】
このプラグ用アダプタによれば、接続対象のジャックに差し込まれプラグ用アダプタの嵌合部がジャック側の被嵌合部に嵌合した状態で、分離部材を外面側から押し込むことで嵌合部を被嵌合部から引き離すので、嵌合状態を容易に解き放つことができ、プラグ用アダプタをジャックから容易に引き抜くことができる。このプラグ用アダプタを接続用のプラグと接続対象のジャックとの間で用いることにより、既存の接続用プラグを用いた場合にもジャックからの引き抜きが容易となる。
【００１７】
本発明によるプラグジャック構造は、上述のプラグが接続対象のジャックに差し込まれた状態で、前記分離部材を押し込むことで前記プラグを前記ジャックから引き抜き易く構成したことを特徴とする。これにより、ジャックに差し込んだ後にプラグを容易に引き抜きできるプラグジャック構造を提供できる。
【００１８】
本発明による別のプラグジャック構造は、上述のプラグ用アダプタが前記プラグ部から接続対象のジャックに差し込まれた状態で、前記分離部材を押し込むことで前記プラグ用アダプタを前記ジャックから引き抜き易く構成したことを特徴とする。これにより、既存のピンプラグを使用する場合にも、ジャックに差し込んだ後にプラグを容易に引き抜きできるプラグジャック構造を提供できる。
【００１９】
【発明の実施の形態】
以下、本発明による実施の形態によるピンプラグについて図１、図２及び図３を参照して説明する。
【００２０】
図１（ａ）は本実施の形態によるピンプラグ及びジャックを示す側面図であり、図１（ｂ）は図１（ａ）のピンプラグを９０度回転させて見た側面図であり、図１（ｃ）は図１（ｂ）のピンプラグをジャックに差し込んだ状態を示す側面図である。
【００２１】
図２（ａ）は、図１（ａ）のピンプラグをジャックに途中まで差し込んだ状態を示す側面図であり、図２（ｂ）は図２（ａ）のピンプラグをジャックに差し込んでから９０度回転させて見た側面図であり、図２（ｃ）は図２のピンプラグを引き抜くときの分離部材の動作を示す側面図である。
【００２２】
図３（ａ）は図２（ｂ）のピンプラグをプラグ部側から見た正面図であり、図３（ｂ）は図２（ｃ）のピンプラグをプラグ部側から見た正面図である。
【００２３】
図１（ａ）乃至（ｃ）、図３（ａ）及び（ｂ）に示すように、ピンプラグ１１は、先端側に突き出た細長いプラグ部１２と、プラグ部１２がそのほぼ中心に位置するようにプラグ部１２から離れて設けられた円筒部１３と、円筒部１３を覆うように外側全体に設けられ電気絶縁材料からなる外装部１５と、外装部１５の外側に設けられ押し込まれることでその先端部１６（図３（ｂ））が外装部１５及び円筒部１３を貫通して円筒部１５内に入り込むことのできる一対の分離部材１４，１４と、を備える。
【００２４】
一対の分離部材１４，１４は、電気絶縁材料から構成され、外装部１５上で略１８０度離れてプラグ部１２を挟んで対向するように配置されている。
【００２５】
プラグ部１２と円筒部１３とは、金属材料等の導電性材料から構成され、外装部１５の内部で互いに電気的に絶縁されて固定され、ピンプラグ１１に接続された電気ケーブル１の一対の導線と電気的に接続されている。外装部１５はピンプラグ１２側が円筒状に、電気ケーブル側が六角形状になっている。
【００２６】
また、図１（ａ）乃至（ｃ）に示すように、ピンプラグ１１の接続対象であるジャック２１は、電子機器の側板１０に固定され、ピンプラグ１１のプラグ部１２が差し込まれる孔部２２と、側板１０から突き出るようにして位置しピンプラグ１１の円筒部１３が覆うようにして差し込まれ嵌合する外筒部２３と、を備える。孔部２２と外筒部２３とは互いに電気的に絶縁されており、ピンプラグ１１がジャック２１に差し込まれると、プラグ部１２と円筒部１３にそれぞれ電気的に接続する。
【００２７】
分離部材１４は、図２（阿）乃至（ｃ）のように、ピンプラグ１１の長手方向に延びた長方形状の板部材から構成され、プラグ部１２側の先端に設けられた先端部１６が外装部１５と一体的になった他端１４ａで支持されて片持ちばり式に回動可能になっている。図２（ｂ）、（ｃ）のように先端部１６は、先の尖った楔形状に形成され、ジャック２１の外筒部２３の端の肩部に位置する丸みを帯びたアール部（Ｒ部）２３ａに接するように傾斜した傾斜面１６ａを備える。
【００２８】
ピンプラグ１１の分離部材１４が押し込まれると、図２（ｃ）、図３（ｂ）のように先端部１６が外装部１５及び円筒部１３に形成された開口１９を貫通して円筒部１３内に突き出て、傾斜面１６ａがジャック２１のＲ部２３ａを押し付けるようになっている。なお、分離部材１４，１４の外表面は図２（ａ）のように挟んで引き抜き易いように凹凸構造となっている。
【００２９】
図１乃至図３のピンプラグジャック構造の動作について説明する。図１（ａ），（ｂ）の状態からピンプラグ１１をジャック２１に図１（ｃ）のように差し込む。このとき、図２（ａ）のようにプラグ部１２がジャック２１の孔部２２内に挿入され、ピンプラグ１１の円筒部１３内にジャック２１の外筒部２３が嵌り込み、外筒部２３の外周面が円筒部１３の内周面１３ａに当接し、更に差し込むと、図２（ｂ）のように、ピンプラグ１１の円筒部１３がジャック２１の外筒部２３と比較的きつく嵌合し、両者の電気的接続が確実になる。
【００３０】
図２（ｂ）のようにピンプラグ１１の円筒部１３とジャック２１の外筒部２３とが嵌合した状態で、分離部材１４の先端部１６はその傾斜面１６ａがジャック２１の外筒部Ｒ部２３ａに僅かに接した状態にある。
【００３１】
上記状態から、ピンプラグ１１を引き抜くときは、一対の分離部材１４，１４を指で挟んで図２（ｂ）のように方向Ｐに押し込むと、各先端部１６が他端１４ａを支点にして回動し、図３（ｂ）のように開口１９を通り抜け、図２（ｃ）のように先端部１６の傾斜面１６ａがジャック２１の円筒部２３のＲ部２３ａを押し付けながら先端部１６が円筒部１３内の空間に入り込む。かかる分離部材１４の円筒部２３に対する押し込みは、先端部１６が楔状になっているので容易に行われ、指の力がさほど必要ではない。
【００３２】
上述のような分離部材１４の押し込み作用により、ピンプラグ１１がジャック２１の外筒部２３のＲ部２３ａ近傍において図２（ｃ）の水平方向Ｈに押し出される。これにより、図２（ｃ）のように、ピンプラグ１１の円筒部１３がジャック２１の外筒部２３から引き離されるので、円筒部１３と外筒部２３との嵌合状態を容易に解き放つことができる。従って、図２（ｃ）の状態からピンプラグ１１を分離部材１４，１４を挟んだまま引き抜くと簡単にジャックから引き抜くことができる。
【００３３】
以上のように、本実施の形態のピンプラグジャック構造によれば、ピンプラグの円筒部とジャックの外筒部とが寸法誤差等のため比較的きつく嵌合しているとき、従来の構造であるとピンジャックの引き抜きに困難を伴い、特に複数のジャックが比較的狭い空間に並んで配置されていると指の力が入り難く引き抜きが更に難しくなってしまうのに対し、上述のようにピンジャック１１に設けた一対の分離部材１４，１４を指で挟んで押し付けるだけで嵌合状態を簡単に解放でき、ピンジャック１１をそのまま引っ張るだけでジャック２１から容易に引き抜くことができ、指の力が入り難いときでも、また力の比較的弱い子供や老人等でも、ピンジャック１１の引き抜きが容易となる。また、無理に電気ケーブルを引っ張ることもないので電気ケーブルの断線等の損傷も起きない。
【００３４】
次に、本実施の形態によるピンプラグ用アダプタについて図４を参照して説明する。図４は、本実施の形態によるピンプラグ用アダプタをピンプラグ及びジャックとともに示す側面図である。
【００３５】
図４のピンプラグ用アダプタ３１は、図５の従来構造のピンプラグ１０１とジャック２１との間で使用し、従来構造のピンプラグ１０１を使用したときでも容易に引き抜くことができるようにしたものである。
【００３６】
図４のように、ピンプラグ用アダプタ３１は、ジャック２１側に、プラグ部３２と、円筒部３３と、一対の分離部材３４，３４と、を備え、各部分３２乃至３４は図１乃至図３のピンプラグのプラグ部１２と円筒部１３と一対の分離部材１４，１４とそれぞれ同様に構成されているので、それらの説明は省略する。
【００３７】
ピンプラグ用アダプタ３１は、プラグ部３２と反対の後端側にジャック２１と同様のジャック部３９を備える。ジャック部３９は、図４のピンプラグ１０１のプラグ部１０２が挿入される孔部３６と、ピンプラグ１０１の円筒部１０３が嵌り込む外筒部３７とを備える。
【００３８】
ピンプラグ用アダプタ３１内で、ジャック部３９の孔部３６とプラグ部３２とが電気的に接続し、ジャック部３９の外筒部３７と円筒部３３とが電気的に接続している。また、ジャック部３９、プラグ部３２、円筒部３３及び分離部材３４等は電気絶縁材料からなる外装部３５により一体的になるように構成される。
【００３９】
図４のピンプラグ用アダプタ３１の動作を説明する。使用時には、ジャック２１にピンプラグ用アダプタ３１が差し込まれるとともにそのジャック部３９にピンプラグ１０１が差し込まれる。ジャック２１から引き抜くときは、ピンプラグ用アダプタ３１の一対の分離部材３４，３４を指で挟んで押し込むと、図１〜図３と同様にして、ピンプラグ用アダプタ３１の円筒部３３とジャック２１の外筒部２３との嵌合状態を容易に解き放つことができるので、ピンプラグ用アダプタ３１を分離部材３４，３４を指で挟んだまま引き抜くことで簡単にジャック２１から引き抜くことができる。なお、ピンプラグ用アダプタ３１をピンプラグ１０１から取り外すときは、両手で引っ張ることで比較的容易に取り外すことができる。
【００４０】
以上のように、図４のピンプラグ用アダプタ３１を用いたピンプラグジャック構造によれば、ピンプラグ用アダプタ３１を分離部材３４，３４によりジャック２１から容易に引く抜くことができるので、プラグ用アダプタ３１を介して既存のピンプラグ１０１を用いることができ、便利である。
【００４１】
以上のように本発明を実施の形態により説明したが、本発明はこれらに限定されるものではなく、本発明の技術的思想の範囲内で各種の変形が可能である。例えば、プラグジャック構造は、図１乃至図３のようなピンプラグジャック構造に限定されず、他の構成のプラグ・ジャックであってもよいことは勿論である。また、プラグに設ける分離部材は単数であってもよい。
【００４２】
【発明の効果】
本発明によれば、ジャックに差し込んだ後にジャックから容易に引き抜きが可能なプラグ、プラグ用アダプタ及びプラグジャック構造を提供できる。
【図面の簡単な説明】
【図１】図１（ａ）は本実施の形態によるピンプラグ及びジャックを示す側面図であり、図１（ｂ）は図１（ａ）のピンプラグを９０度回転させて見た側面図であり、図１（ｃ）は図１（ｂ）のピンプラグをジャックに差し込んだ状態を示す側面図である。
【図２】図２（ａ）は、図１（ａ）のピンプラグをジャックに途中まで差し込んだ状態を示す側面図であり、図２（ｂ）は図２（ａ）のピンプラグをジャックに差し込んでから９０度回転させて見た側面図であり、図２（ｃ）は図２のピンプラグを引き抜くときの分離部材の動作を示す側面図である。
【図３】図３（ａ）は図２（ｂ）のピンプラグをプラグ部側から見た正面図であり、図３（ｂ）は図２（ｃ）のピンプラグをプラグ部側から見た正面図である。
【図４】本実施の形態によるピンプラグ用アダプタをピンプラグ及びジャックとともに示す側面図である。
【図５】従来のピンプラグとジャックとを示す側面図である。
【符号の説明】
１・・・電気ケーブル
１１・・・ピンプラグ
１２・・・プラグ部
１３・・・円筒部（嵌合部）
１４・・・分離部材
１６・・・先端部
１９・・・開口
２１・・・ジャック
２２・・・孔部
２３・・・外筒部（被嵌合部）
２３ａ・・・Ｒ部
３１・・・ピンプラグ用アダプタ
３２・・・プラグ部
３３・・・円筒部（嵌合部）
３４・・・分離部材
３９・・・ジャック部
【図１】
2004281337.tif 000003
【図２】
2004281337.tif 000004
【図３】
2004281337.tif 000005
【図４】
2004281337.tif 000006
【図５】
2004281337.tif 000007